(57)【要約】【課題】不正コピーを防止するためのファイル判別に用いる所定データを、ファイルを記録するために確保したセクタの空き領域に記録し、セクタの領域を有効利用し、かつファイルの不正使用を防止する。【解決手段】ＣＤ媒体への記録手段によって、ファイルの実体３０を記録したＣＤ媒体のセクタにおいて、そのファイルのサイズとセクタの記録可能なサイズとの差となる空きサイズに所定データ３１を記録する。このファイルの記録するために確保したセクタの空き領域に所定データ３１を記録して、ファイルを記録するためのセクタを別途使用することなく、不正コピーの判定に用いる所定データ３１の記録を行うことができる。【選択図】    図５
2004259364.tif 000002
【特許請求の範囲】
【請求項１】
記録媒体にファイルの記録・再生を行う領域の最小単位が、データの最小単位より大きいフォーマットを使用する記録媒体の領域に、前記ファイルを記録する手段と、
少なくとも前記領域に記録されたファイルの記録媒体上の所在地と、前記記録されたファイルの容量とを含むファイル管理情報を記録する手段と、
前記ファイルと管理情報からなるファイルの実体を記録するために確保した領域内の残領域に前記ファイルを特定する媒体照合情報を記録する手段とを備えたことを特徴とする情報記録装置。
【請求項２】
媒体照合情報の記録手段により記録する前記媒体照合情報を、ファイルを記録した領域内の残容量値に応じて変更可能なことを特徴とする請求項１記載の情報記録装置。
【請求項３】
媒体照合情報の記録手段により記録する前記媒体照合情報を、ファイルを記録した領域内に記録する残領域がないときに、次の領域に記録することを特徴とする請求項１記載の情報記録装置。
【請求項４】
記録媒体にファイルの記録・再生を行う領域の最小単位が、データの最小単位より大きいフォーマットを使用する記録媒体の領域に、前記ファイルを記録する工程と、
少なくとも前記領域に記録されたファイルの記録媒体上の所在地と、前記記録されたファイルの容量とを含むファイル管理情報を記録する工程と、
前記ファイルと管理情報からなるファイルの実体を記録するために確保した領域内の残領域に前記ファイルを特定する媒体照合情報を記録する工程とを有することを特徴とする情報記録方法。
【請求項５】
媒体照合情報の記録する工程において前記媒体照合情報を、ファイルを記録した領域内の残容量値に応じて変更可能なことを特徴とする請求項４記載の情報記録方法。
【請求項６】
媒体照合情報の記録する工程において前記媒体照合情報を、ファイルを記録した領域内に記録する残領域がないときに、次の領域に記録することを特徴とする請求項４記載の情報記録方法。
【請求項７】
記録媒体にファイルの記録・再生を行う領域の最小単位が、データの最小単位より大きいフォーマットを使用する記録媒体の領域に、前記ファイルと、少なくとも前記領域に記録されたファイルの記録媒体上の所在地と、前記記録されたファイルの容量とを含むファイル管理情報と、前記ファイルと管理情報からなるファイルの実体を記録するために確保した領域内の残領域に前記ファイルを特定する媒体照合情報とを記録したことを特徴とする情報記録媒体。
【請求項８】
請求項７記載の情報記録媒体に記録されたファイルを読み出す情報再生装置であって、前記ファイルを特定する媒体照合情報を読み出す手段と、読み出した前記媒体照合情報の可否の判定に応じて、前記ファイルの読み出し可否を処理する手段とを備えたことを特徴とする情報再生装置。
【請求項９】
請求項７記載の情報記録媒体に記録されたファイルを読み出す情報再生方法であって、前記ファイルを特定する媒体照合情報を読み出す工程と、読み出した前記媒体照合情報の可否の判定に応じて、前記ファイルの読み出し可否を処理する工程とを有することを特徴とする情報再生方法。
【発明の詳細な説明】
【０００１】
【発明の属する技術分野】
本発明は、記録媒体に記録されたデジタル情報（ファイル）を保護するための情報記録装置、情報記録方法、情報記録媒体及び情報再生装置並びに情報再生方法に関するものである。
【０００２】
【従来の技術】
近年、アプリケーションプログラムなどのソフトウェア、静止画，動画データなどのコンテンツ等の情報は、その大容量化に伴いＣＤ−ＲＯＭなどの記録媒体にファイルの形態で記録されて配布、販売されるのが一般的である。
【０００３】
これらの記録媒体において、ファイルの記録・再生を行う領域の最小単位と、ファイルを形成するデータの最小単位とは異なっている。具体的には、ＣＤ（ＣＤ−ＲＯＭ，ＣＤ−Ｒ／ＲＷ等のコンパクトディスク）媒体においては、記録・再生を行う領域の最小単位はセクタであり、実際に取り扱われるファイルの最小単位はバイト（もしくはビット）である。
【０００４】
また、記録媒体上に複数のファイルが記録されている場合に、それぞれのファイルの所在を容易に取得するために、何らかのファイル管理情報を同時に記録することが一般的である。このファイル管理情報は、各ファイルの媒体上の所在地（以下、アドレスと呼ぶ）、容量（以下、サイズと呼ぶ）、作成日時等の情報が含まれており、記録された任意のファイルを読み出し使用する場合には、最初にこのファイル管理情報を用いて該当ファイルの記録媒体上のアドレス，サイズを特定し、次に記録媒体上の該当するアドレスに基づき読み出すことで、ファイルの実体を取得している。
【０００５】
このファイルの存在するアドレスは、一般的に記録媒体上に記録・再生を行う領域の最小単位（ＣＤ媒体においては前述したように最小単位がセクタであることから、以下便宜上セクタと表現する）の値である。これは、情報の最小単位（バイト）で表現すると、そのアドレスを示すために必要な情報量が増大し、実際に情報を記録し管理可能となるファイル数が減少してしまうことと、管理情報の簡略化を図るためである。
【０００６】
このような記録媒体に記録されるファイルは、デジタルデータであり他の記録媒体にコピーしても品質の劣化等が生じることがないという特徴がある。このことを悪用して、ＣＤ媒体に記録されている各種データやアプリケーションプログラム等を、不正にＨＤＤやＣＤ−Ｒ／ＲＷ等にコピーすることができるという問題がある。
【０００７】
この不正コピーを防止するために、特許文献１には、ソフトウェアを記録媒体に書き込み、論理アドレス順に記録媒体の各物理アドレスから読み出して実行時に、論理アドレスとこれに応じたソフトウェアデータを記憶する物理アドレスとの対応関係と、不正使用防止用のチェックプログラムをソフトウェア本体に付加して原本に記録し、ソフトウェアの実行前に、チェックプログラムにより論理アドレスと物理アドレスの実際の対応関係を求めソフトウェアに付加された対応関係と比較して、不正を検出すること、また、原本の正常セクタに媒体ＩＤを記録すると共に、ソフトウェア本体に原本の媒体ＩＤと不正使用防止用のチェックプログラムを付加して原本に記録し、通常モードにおいて媒体ＩＤ記録のセクタを欠陥セクタとして交代セクタにアクセスし、保守モードにおいて媒体ＩＤ記録のセクタにアクセスし、ソフトウェアの実行時に、チェックプログラムにより保守モードで媒体ＩＤ記録のセクタよりデータを読み出し、ソフトウェアに付加された原本の媒体ＩＤとの一致を確認して、不正コピーを防止することが記載されている。
【０００８】
また、特許文献２には、少なくとも一部の同期信号が除去されたダミーファイル、ダミーファイル情報を格納するファイル情報記録領域、ダミーファイル情報を格納する、ファイル情報記録領域以外の領域を備え、アプリケーション起動時にそのファイルの存在とサイズを調べ、存在したファイルの実際のサイズとファイルサイズの一致を確認し、不正コピーを防止することが記載されている。
【０００９】
【特許文献１】
特開平７−２６２００１号公報
【特許文献２】
特開２００１−２６６４７８号公報
【００１０】
【発明が解決しようとする課題】
前述したような、不正コピーを防止するための手段がいくつか考案されており、特許文献１，２に記載されているように、記録媒体の正常セクタに媒体ＩＤの記録を行うことやダミーファイル情報の格納が行われ、このために、情報の記録領域の一部（セクタ）が用いられている。そして、前述したように、記録媒体に記録されるプログラムなどのソフトウェア、画像データなどのコンテンツは、その大容量化に伴って多くの記録領域を必要とすることから、その絶対値の決まっている記録媒体の領域を有効利用する必要がある。
【００１１】
本発明は、前記従来技術の問題を解決することに指向するものであり、不正コピーを防止すると共に、これを判別するために用いる所定データを記録媒体の空き領域を有効利用して記録し、これを再生する情報記録装置、情報記録方法、情報記録媒体及び情報再生装置並びに情報再生方法を提供することを目的とする。
【００１２】
【課題を解決するための手段】
この目的を達成するために、本発明に係る情報記録装置、情報記録方法、情報記録媒体及び情報再生装置並びに情報再生方法における請求項１，４に記載される情報記録装置及び方法は、記録媒体にファイルの記録・再生を行う領域の最小単位が、データの最小単位より大きいフォーマットを使用する記録媒体の領域に、ファイルを記録することと、少なくとも領域に記録されたファイルの記録媒体上の所在地と、記録されたファイルの容量とを含むファイル管理情報を記録することと、ファイルと管理情報からなるファイルの実体を記録するために確保した領域内の残領域にファイルを特定する媒体照合情報を記録することによって、ファイルを特定する媒体照合情報をファイルの実体を記録した領域内の残領域に記録して、ファイルの記録用の領域を使用せず、かつ不正コピーを防止することができる。
【００１３】
また、請求項２，３，５，６記載の情報記録装置及び方法は、請求項１，４の情報記録装置及び方法において、媒体照合情報の記録手段により記録する媒体照合情報を、ファイルを記録した領域内の残容量値に応じて変更可能なこと、または、ファイルを記録した領域内に記録する残領域がないときに、次の領域に記録することによって、ファイルを記録した領域内の残領域に応じた媒体照合情報の記録をすることができる。
【００１４】
また、請求項７に記載される情報記録媒体は、記録媒体にファイルの記録・再生を行う領域の最小単位が、データの最小単位より大きいフォーマットを使用する記録媒体の領域に、ファイルと、少なくとも領域に記録されたファイルの記録媒体上の所在地と、記録されたファイルの容量と含むファイル管理情報と、ファイルと管理情報からなるファイルの実体を記録するために確保した領域内の残領域にファイルを特定する媒体照合情報とを記録したことによって、ファイルの記録に用いる領域を使用せず、かつ記録されたファイルの不正コピーを防止することができる。
【００１５】
また、請求項８，９に記載される情報再生装置及び方法は、請求項７記載の情報記録媒体に記録されたファイルを読み出す情報再生装置並びに方法であって、ファイルを特定する媒体照合情報を読み出す手段と、読み出した媒体照合情報の可否の判定に応じて、ファイルの読み出し可否を処理する手段とを備えた構成によって、記録媒体に記録されたファイルの不正使用を防止することができる。
【００１６】
【発明の実施の形態】
以下、図面を参照して本発明における実施の形態を詳細に説明する。図１は本発明の実施の形態における情報記録再生装置である光ディスクドライブ装置（以下、ドライブ装置という）の概略構成を示すブロック図である。
【００１７】
また、大容量の情報（ファイル）を記録再生する記録媒体として、光ディスクが使用されている。ここで、光ディスクとドライブ構成について、図１を参照しながら概略を説明する。一般的な光ディスクとして、ＣＤ−ＲとＣＤ−Ｅディスクは、記録可能なＣＤ（コンパクトディスク）媒体である。前者のＣＤ−Ｒ（ＣＤレコーダブル）は、１回だけ書き込みが可能なＣＤ媒体である（なお、ＣＤ−Ｗｒｉｔｅ  Ｏｎｃｅともいわれる）。また、後者のＣＤ−Ｅ（ＣＤイレーザブル）は、複数回の書き込みが可能なＣＤ媒体である（なお、ＣＤ−ＲＷ：ＣＤリライタブルともいわれる）。これらのＣＤ−Ｒ／ＲＷディスク、すなわち、光ディスクは、図１に示すようなドライブ装置によって情報（ファイル）の記録再生が行われる。
【００１８】
図１のドライブ装置において、１は光ディスク、２はスピンドルモータ、３は光ピックアップ、４はモータドライバ、５はリードアンプ、６はサーボ手段、７はＣＤデコーダ、８はＡＴＩＰデコーダ、９はレーザコントローラ、１０はＣＤエンコーダ、１１はＣＤ−ＲＯＭエンコーダ、１２はバッファＲＡＭ、１３はバッファマネージャ、１４はＣＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭを示し、ＬＢはレーザ光、Ａｕｄｉｏはオーディオ出力信号である。
【００１９】
また、図１に示す矢印はデータが主に流れる方向を示し、図１を簡略化して表記するために、各ブロックを制御するＣＰＵ１８には、太線のみを付けて各ブロックとの接続を省略している。ＲＯＭ１７には、ＣＰＵ１８にて解読可能なコードで記述された制御プログラムが格納されている。なお、ドライブ装置の電源がオン状態になると、プログラムは図示されないメインメモリにロードされ、ＣＰＵ１８はそのプログラムに従って各部の動作を制御すると共に、制御に必要なデータ等を一時的にＲＡＭ１９に保存する。
【００２０】
図１に示すように、ドライブ装置の動作として、光ディスク１は、スピンドルモータ２によって回転駆動される。このスピンドルモータ２は、モータドライバ４とサーボ手段５により、線速度が一定になるように制御される。この線速度は、階段的に変更することが可能である。光ピックアップ３は、図示されない半導体レーザ、光学系、フォーカスアクチュエータ、トラックアクチュエータ、受光素子及びポジションセンサを内蔵しており、レーザ光ＬＢを光ディスク１に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基づいて、モータドライバ４とサーボ手段５により、レーザ光ＬＢのスポットが光ディスク１上の目的の場所に位置するように制御される。
【００２１】
そして、再生時には、光ピックアップ３によって得られた再生信号が、リードアンプ５で増幅されて２値化された後、ＣＤデコーダ７に入力される。入力された２値化データは、このＣＤデコーダ７において、ＥＦＭ（Ｅｉｇｈｔ  ｔｏ  Ｆｏｕｒｔｅｅｎ  Ｍｏｄｕｌａｔｉｏｎ）復調される。なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００２２】
復調されたデータは、デインターリーブとエラー訂正の処理が行われる。その後、このデータは、ＣＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＣＤデコーダ７から出力されたデータが、Ｄ／Ａコンバータ１６へ入力され、アナログのオーディオ出力信号Ａｕｄｉｏとして取り出される。
【００２３】
また、記録時には、ＡＴＡＰＩ／ＳＣＳＩインターフェース１５を通して、ホストコンピュータから送られてきたデータは、バッファマネージャ１３によって一旦バッファＲＡＭ１２に蓄えられる。そして、バッファＲＡＭ１２内にある程度の量のデータが蓄積された状態で、記録動作が開始されるが、この場合には、その前にレーザスポットを書き込み開始地点に位置させる必要がある。この地点は、トラックの蛇行により予め光ディスク１上に刻まれているウォブル信号によって求められる。
【００２４】
ウォブル信号には、ＡＴＩＰ（Ａｂｓｏｌｕｔｅ  Ｔｉｍｅ  Ｉｎ  Ｐｒｅ−ｇｒｏｏｖｅ）と呼ばれる絶対時間情報が含まれており、この情報が、ＡＴＩＰデコーダ８によって取り出される。また、このＡＴＩＰデコーダ８によって生成される同期信号は、ＣＤエンコーダ１０へ入力され、光ディスク１上の正確な位置へのデータの書き込みを可能にしている。バッファＲＡＭ１２のデータは、ＣＤ−ＲＯＭエンコーダ１１やＣＤエンコーダ１０において、エラー訂正コードの付加や、インターリーブが行われ、レーザコントローラ９、光ピックアップ３を介して、光ディスク１に記録される。
【００２５】
なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。以上が図１のドライブ装置の構成と動作の概要である。
【００２６】
また、図２はこのドライブ装置を使用した情報処理装置の概略構成を示すブロック図である。情報処理装置には、主制御装置（ＣＰＵ）２０，インターフェース２１，記録装置（ＨＤＤ；ハードディスクドライブ）２２，表示装置２３及び入力装置２４などを備えている。主制御装置２０は、マイクロコンピュータ、メインメモリ（不図示）などを含んで構成され、情報処理装置の全体を制御する。
【００２７】
インターフェース２１は、ドライブ装置との双方向の通信インターフェースであり、ＡＴＡＰＩ及びＳＣＳＩ等の標準インターフェースに準拠している。インターフェース２１はドライブ装置のインターフェース１５と接続されている。なお、各インターフェース間の接続形態は、通信ケーブル（例えば、ＳＣＳＩケーブル）などの通信線を用いたケーブル接続だけでなく、赤外線などを利用したワイヤレス接続であってもよい。
【００２８】
記録装置（ＨＤＤ）２２には、主制御装置２０のマイクロコンピュータで解読可能なコードで記述されたプログラムが格納されている。なお、情報処理装置の駆動電源がオン状態になると、前記プログラムは主制御装置２０のメインメモリにロードされる。
【００２９】
表示装置２３は、例えばＣＲＴ、液晶ディスプレイ（ＬＣＤ）及びプラズマディスプレイパネル（ＰＤＰ）などの表示部（不図示）を備え、主制御装置２０からの各種情報を表示する。
【００３０】
入力装置２４は、例えばキーボード、マウス及びポインティングデバイスなどのうち少なくとも１つの入力媒体（不図示）を備え、ユーザから入力された各種情報を主制御装置２０に通知する。なお、入力媒体からの情報はワイヤレス方式で入力されてもよい。また、表示装置２３と入力装置２４とが一体化したものとして、例えばタッチパネル付きＣＲＴなどがある。
【００３１】
また、情報処理装置はオペレーティングシステム（以下、ＯＳという）を搭載している。そして、情報処理装置を構成する全てのデバイスはＯＳによって管理されている。
【００３２】
図３は、前述した情報処理装置に接続されるドライブ装置に用いられる、記録媒体である光ディスク（ＣＤ媒体）のフォーマットを示し、図３に示すようにセクタ０から順にセクタ番号が与えられる。このセクタ番号は、記録されたファイルのアドレスとして使用され、一般にＣＤ媒体では１セクタ当たりのデータ数は２０４８バイトである。また、図４はファイル管理情報としてＣＤ媒体に対して用いられることの多いＩＳＯ９６６０のファイルシステムレイアウトの一例であり、図４において、２５はディスクに記録されている一連のファイル群（以下、ボリュームという）に関する情報が記録されるＰＶＤ（Ｐｒｉｍａｒｙ  Ｖｏｌｕｍｅ  Ｄｅｓｃｒｉｐｔｏｒ）である。ここに、後述するＰＴやルートディレクトリのアドレス等も記録されている。
【００３３】
また、図４における２６はＰＶＤ２５の終端を示すＴＤ（Ｔｅｒｍｉｎａｔｅ  Ｄｅｓｃｒｉｐｔｏｒ）、２７はボリューム中の全ディレクトリ情報（ディレクトリ名、アドレス、親ディレクトリなど）を並べたテーブルのＰＴ（Ｐａｔｈ  Ｔａｂｌｅ）、２８は各ディレクトリに含まれるファイルやディレクト情報（名前、アドレス、ファイルサイズなど）が記録されるＤＲ（Ｄｉｒｅｃｔｏｒｙ  Ｒｅｃｏｒｄ）、２９はファイルの実体が記録されるＦＥ（Ｆｉｌｅ  Ｅｘｔｅｎｔ）である。
【００３４】
通常、ＣＤ媒体がドライブ装置に装着された後、ＰＶＤ２５から順にボリュームが読み取られる。次に、ＰＶＤ２５に記録されているアドレス情報からＰＴ２７を読み込む。以下、アクセスしたいファイルが存在するディレクトリを読み込んだＰＴ２７より検索し、ＰＴ２７に記録されているＤＲ２８のアドレス情報からＤＲ２８を読み込み、ＤＲ２８に記録されているアドレス情報からＦＥ２９を読み込む。
【００３５】
次に、本実施の形態における情報記録，再生の方法について、図５及び図６を参照しながら説明する。図５は、本実施の形態の情報記録の方法を適用したＣＤ媒体のファイルの配置例を示す図である。記録するセクタｍの先頭からファイル管理情報に続いて、図４に示すＦＥ２９の領域に記録されるファイルの実体３０、その後に、媒体照合情報として所定データ３１が記録されていることを示している。
【００３６】
本実施の形態は、ＣＤ媒体への記録手段によって、ファイルの実体３０を記録したＣＤ媒体のセクタにおいて、そのファイルのサイズとセクタの記録可能なサイズとの差となる空きサイズに所定データ３１を記録する。例えば、１セクタが２０４８バイトとして、記録するファイルの実体のサイズが３８００バイト、所定データのサイズが５０バイトのとき、ファイルを記録したセクタの残り２９６バイトの領域に所定データの５０バイトを記録する。このように、ファイルの実体を記録した後のセクタの空き領域に所定データ３１を記録して、ファイルの実体を記録するためのセクタを使用することなく、不正コピーの判定に用いる所定データの記録を行うことができる。
【００３７】
図５に示すように記録されたファイルの情報再生の方法について、図６のフローチャートにより説明する。まず、ファイルの読み出し処理を実行すると（Ｓ１）、ファイル管理情報から、ファイルの実体３０のアドレス，サイズを確認する（Ｓ２）。これにより得られた情報から、ファイルの実体３０の後に記録されている所定データ３１を読み出す（Ｓ３）。読み出した所定データ３１が正しいか否かを確認し（Ｓ４）、正しく読み取れない場合（処理Ｓ４のＮｏ）、ファイルの実体３０の読み出し処理を中止する（Ｓ５）。正しい場合（処理Ｓ４のＹｅｓ）、ファイルの実体３０を読み出し処理を開始する（Ｓ６）。
【００３８】
以上のことから、読出手段により読み出された特定データ３１によって、ＣＤ媒体に記録されたファイルが正規のものか、不正コピーされたものかを判断し、不正コピーされたと判断された場合には、そのファイルの読み込み処理を禁止する手段によって、不正コピーを防ぐことができる。なお、前述の特定データをセクタの空き領域へ記録、また特定データを読み出して可否を判別し、読み出し実行の可否を行う各手段は、情報記録または情報再生を行う装置のＲＯＭ等に格納された制御プログラムに従ってＣＰＵにより行われる。
【００３９】
次に、本実施の形態における実施例１である情報記録の方法について、図７（ａ），（ｂ）を参照しながら説明する。いま、ファイルの実体３０の後に付加される所定データ３１のサイズに制限がないとすると、ファイルの実体３０のサイズと所定データ３１のサイズによっては、図７（ａ）に示すように、ファイルの実体３０を記録するために確保されているセクタの領域（ｍ，ｍ＋１）のサイズを超えてしまう。
【００４０】
例えば、１セクタが２０４８バイト、ファイルのサイズが４０５０バイト、所定データのサイズが５０バイトであるときに、ＣＤ媒体の記録に用いる領域（ｍ．ｍ＋１）のサイズは４１００バイトとなり、これらを記録するために３セクタ分の領域を必要とする。ファイル管理情報においては、このファイルのサイズは４０５０バイトであり、２セクタに記録したものと判断され、次に記録を行うファイルと不整合が生じてしまうことになる。そこで、本実施例１における情報記録の方法においては、ファイルの実体３０のサイズとこれを記録するために必要なセクタの領域のサイズとの差によって、所定データ３１のサイズを決定する。つまり所定データ３１’として、そのサイズを５０バイトから４６バイトとして記録することによって、２セクタ内に記録可能とする。
【００４１】
これにより、ファイルの実体３０及び所定データ３１’の配置としては、図７（ｂ）に示すようになり、ファイルのサイズに基づいて確保されているセクタの領域のサイズを超えてしまうことを防ぎ、ファイル管理情報における不整合が生じることなく、さらに、前述したようにこの所定データ３１’を参照することで、ファイルの不正コピーを防ぐことができる。
【００４２】
また、本実施の形態における実施例２として、前述した実施例１で説明した情報記録の方法では、ファイルの実体３０のサイズとこれを記録するために確保したセクタの領域のサイズとが等しいときに、確保したセクタの領域には残りの空き領域がなく（図８（ａ）参照）、所定データ３１を記録することができない。このため、図８（ｂ）に示すように、次のファイルの実体３０’を記録するセクタの領域を移動させて（図８（ａ），（ｂ）に示すように、ファイル管理情報の開始アドレス（矢印Ｂ）のセクタをｍ＋２からｍ＋３に変更する）、このセクタに所定データ３１を記録する。このときの所定データ３１を記録したセクタは、従来の不良セクタの処理と同様の扱いとして、通常のファイル書き込みや読み出し時においては参照することのないようにする。
【００４３】
また、本実施の形態において説明した情報記録方法を用いてＣＤ媒体にファイルの実体と所定データを記録することにより、ＣＤ媒体上のファイルを記録する領域を有効に利用でき、かつファイルの不正使用を防止するＣＤ媒体を得ることができる。
【００４４】
【発明の効果】
以上説明したように、本発明によれば、ファイルを特定する所定データをこのファイルの実体を記録した領域内の空き領域に記録して、ファイルの記録に用いるＣＤ媒体の領域を確保し、かつ所定データを用いて不正コピーを防止することができるという効果を奏する。
【図面の簡単な説明】
【図１】本発明の実施の形態におけるドライブ装置の概略構成を示すブロック図
【図２】ドライブ装置を使用した情報処理装置の概略構成を示すブロック図
【図３】情報処理装置に接続のドライブ装置に用いられるＣＤ媒体のフォーマットを示す図
【図４】ファイル管理情報としてＣＤ媒体に用いられるＩＳＯ９６６０のファイルシステムレイアウトの一例を示す図
【図５】本実施の形態における情報記録したＣＤ媒体のファイルの配置例を示す図
【図６】本実施の形態におけるファイルの情報再生の処理を示すフローチャート
【図７】本実施の形態における実施例１により情報記録したＣＤ媒体のファイルの配置例における実行前（ａ）と実行後（ｂ）を示す図
【図８】本実施の形態における実施例２により情報記録したＣＤ媒体のファイルの配置例における実行前（ａ）と実行後（ｂ）を示す図
【符号の説明】
１  光ディスク
２  光ピックアップ
１７  ＲＯＭ
１８  ＣＰＵ
１９  ＲＡＭ
３０  ファイルの実体
３１  所定データ
【図１】
2004259364.tif 000003
【図２】
2004259364.tif 000004
【図３】
2004259364.tif 000005
【図４】
2004259364.tif 000006
【図５】
2004259364.tif 000007
【図６】
2004259364.tif 000008
【図７】
2004259364.tif 000009
【図８】
2004259364.tif 000010